(57)【特許請求の範囲】
【請求項１】
ドアを所定位置に保持するためのドアストッパであって、
該ドアストッパは、床に取付けられる床取付部材と、ドアの下面から上部方向に形成された孔部に埋設されるドア埋設部材と、からなり、
前記床取付部材は、上下方向へ回動可能に軸支された、磁性体からなる被係止部材を備え、
前記ドア埋設部材は、
ドアに取付けられる被覆体と、
該被覆体に保持されるマグネットと、
該マグネットが配設される位置と近接して配設され、前記被係止部材を係止する係止部材と、を備え、
前記ドア埋設部材には、前記マグネット及び前記係止部材を保持するマグネット保持部材と、該マグネット保持部材を上下動させることにより前記マグネットの床面からの距離を調整するための上下動機構とが備えられ、
該上下動機構は、前記マグネット保持部材を上下動可能に保持するとともに、水平移動を行う水平移動部材と、該水平移動部材に連結され、前記水平移動部材を水平方向へ移動させるためのボルトである移動部材と、を備え、
前記水平移動部材にはボルト受ナットが固定され、
前記移動部材は、ボルト脚部側が前記ボルト受ナットに取付けられた状態で、水平移動方向に沿って取付けられており、
前記マグネット保持部材には、前記水平移動部材の水平移動方向と略鉛直な方向にシャフトが配設されており、
前記水平移動部材には、水平面に対して鋭角に形成されたスリットが形成されるとともに、水平移動方向に沿ってシャフト移動孔がルーズホールとして形成されており、
前記スリットには、前記シャフトが前記スリットに沿って摺動可能に支持されるとともに、前記シャフト移動孔には、端部が前記被覆体に固定されたスプリングピンであるスライダシャフトが貫通しており、
該スライダシャフトは、力が付加されない状態では前記シャフト移動孔に嵌合するとともに、前記移動部材が回動することに起因して力が付加されると、前記シャフト移動孔に沿って移動可能となり、
前記移動部材が回動することに起因して、前記水平移動部材が水平移動することにより、前記シャフトが前記スリットに沿って摺動すると同時に、前記マグネット保持部材は前記シャフトの前記スリットに沿った摺動に伴って上下動を行うよう構成されており、
前記被係止部材は、ドアが移動することにより、前記マグネットの磁界範囲に配設されると、前記マグネットの磁力に誘引されて前記マグネットの方向へ回動し、前記係止部材に係止されることを特徴とするドアストッパ。
【請求項２】
前記係止部材には、下方向端部側に鉤状に形成された係止爪と、該係止爪が形成される側と反対側端部にバネ固定部とが形成されるとともに、前記係止爪と前記バネ固定部との間には、軸貫通孔が前記被係止部材の進入方向と直交する方向に貫通しており、
前記軸貫通孔にはスプリングピンとして構成された軸が挿入されており、前記係止部材は、前記軸が挿入された前記軸貫通孔を中心として前記被係止部材の進入方向と水平方向に回動するよう構成されており、
前記バネ固定部には、一端部側が前記マグネット保持部に固定されたバネの他端部側が固定されており、前記バネは、前記支持部材の回動方向に沿って押圧力を付与することを特徴とする請求項１に記載のドアストッパ。
【請求項３】
前記床取付部材には、前記被係止部材を回動可能に支持する支持部材が備えられ、
前記被係止部材は、板状部材であり、
前記支持部材は、前記板状部材を格納するための格納孔が形成された板状部材であることを特徴とする請求項１に記載のドアストッパ。
【請求項４】
前記係止部材に係止された前記被係止部材は、前記係止部材に前記被係止部材を係止させるためにドアが移動してきた方向と反対方向へドアを移動させるための力により係止解除されることを特徴とする請求項１に記載のドアストッパ。
【請求項５】
前記床取付部材には、前記被係止部材を上下方向へ回動可能に支持する板状の支持部材が備えられ、前記被係止部材は、板状部材であり、前記支持部材には、前記板状部材を格納するための格納孔が形成されており、
前記係止部材による係止が解除されたドアストッパは、重力によって前記格納孔内に格納されることを特徴とする請求項４に記載のドアストッパ。
【発明の詳細な説明】
【技術分野】
【０００１】
本発明は、ドアを開状態に保持するとともに、ドアが開放側の壁面等へ衝突することを防止するためのドアストッパに関するものである。
【背景技術】
【０００２】
従来より、ドアを開状態で保持したり、開放したドアが壁面へ衝突することを防止するために、ドアを所定の位置で保持するためのドアストッパが用いられている。
ドアストッパとしては、ドア側に設けられた金具等の部材を、床面から上方へ突出した短い柱状の部材に係止させることによりドアを所定位置に保持するものや、ドアを保持させたい位置でドアに取付けた金具を展開し、当該金具をドアと床面との筋かいとして使用することによりドアを保持するもの等、様々な形態のものがある。
しかし、前者では、床面より柱状の金具が突出しているため、床面を掃除する際に邪魔になったり、足をぶつける可能性があるため不便である。
また、収納の前などでは、この柱状の金物が邪魔になるため取付けることができない等の問題があり、使用できる場所が限定されてしまう。
更に、後者では、ドアを保持させたい位置で金具を展開させる必要があり、操作が煩雑であるとともに、ドア保持時には、金具を筋かいとしてドアを支えているのみであるため、強い力がかかるとドアの保持がはずれる可能性がある。
【０００３】
このような問題を解決するために、様々なドアストッパが開発されている（例えば、特許文献１参照）。
特許文献１には、ドアストッパ不使用時には床に埋設され、使用時に床面より上部に突出させることのできるドアストッパが開示されている。
このドアストッパは、ガイド筒に収められた状態で床に埋設され、不使用時にはラッチング機構によってガイド筒内（すなわち、床面より下方）に納められている。このドアストッパにはバネが取付けられており、ガイド筒内に納められた状態では、ドアストッパはこのバネにより上方へ付勢されているが、ラッチング機構により上方へ移動することを抑制されている。
よって、ドアストッパ使用時に、このラッチング機構をはずせば、ドアストッパは、バネの付勢力により上方（つまり、床面より上部）に突出し、バネが自然長となった位置で停止する。
この突出したドアストッパが、戸当てとしての役割を果たす。
【０００４】
【特許文献１】特開２００３−１８４４１８号公報（第２頁乃至第４頁、図１及び図２）
【発明の開示】
【発明が解決しようとする課題】
【０００５】
しかし、上記特許文献１の金物では、ドアストッパを突出させるためには、ラッチング機構を外す必要がある。このために、人が手又は足でガイド筒に納められた状態のストッパの上端部を押圧する必要があり、操作が煩雑であった。
また、ドアストッパを突出させて戸当てとして使用するため、ドア保持時に、ドアストッパとドア表面とが接触することにより、ドア表面に傷が付く可能性もある。
更に、ドアストッパを突出させるための直接的な動力としてバネの付勢力を使用しているため、長期間使用することによりバネが劣化して付勢力が落ちる可能性もある。
【０００６】
このような問題を解決するために、図１７に示すようなドアストッパが開発されている。
このドアストッパＳ´は、扉付部材１００と床付部材２００とで構成されている。
扉付部材１００には、ドア下端側に取付けられる固定部材１１０と、この固定部材１１０内に配設される被係止部材１１１が備えられている。
この被係止部材１１１は、磁性体金属で形成されている。
床付部材２００は、略円形状の部材であり、被係止部材１１１を係止するための孔部２１０が形成されている。この孔部２１０の底面にはマグネットが配設されており、図１７に示すように、ドアＲが開き、扉付部材１００が孔部２１０の上方へ移動してくると、マグネットの磁力により被係止部材１１１が固定部材１１０より突出して、マグネットに吸着される。このようにして、磁力により被係止部材１１１が、床付部材２００の孔部２１０に係止され、ドアＲが保持される。
【０００７】
このような構成であると、ドアＲを保持するためにストッパ自体を操作する必要はなく、ドアにドアストッパとの当り傷がつくことはなくなる。
しかし、扉付部材１００をドアＲ表面に固定するため、扉付部材１００が生活空間より視認され、意匠上好ましくない。
また、柱状のドアストッパ程は、床面から突出していないものの、被係止部材１１１を係止する必要があるため、床付部材２００の高さが、約８．５ｍｍ程度必要であり、フラットであるとはいいがたい。
更に、扉付部材１００をドアＲに螺子止めするため、ドアボトムを取付けるための螺子と扉付部材１００をドアＲに取付けるための螺子が干渉し、扉付部材１００とドアボトムを併用することができない。
【０００８】
本発明の目的は、上記各問題点を解決することにあり、人手を煩わすことなく、簡易にドアを保持できるとともに、意匠性に優れたドアストッパを提供することにある。
また、本発明の他の目的は、ドアストッパの床付部材が床面より上部にほとんど突出することなく、フラットな状態で取付けることが可能なドアストッパを提供することにある。
【課題を解決するための手段】
【０００９】
上記課題は、請求項１に係る発明によれば、ドアを所定位置に保持するためのドアストッパであって、該ドアストッパは、床に取付けられる床取付部材と、ドアの下面から上部方向に形成された孔部に埋設されるドア埋設部材と、からなり、前記床取付部材は、上下方向へ回動可能に軸支された、磁性体からなる被係止部材を備え、前記ドア埋設部材は、ドアに取付けられる被覆体と、該被覆体に保持されるマグネットと、該マグネットが配設される位置と近接して配設され、前記被係止部材を係止する係止部材と、を備え、前記ドア埋設部材には、前記マグネット及び前記係止部材を保持するマグネット保持部材と、該マグネット保持部材を上下動させることにより前記マグネットの床面からの距離を調整するための上下動機構とが備えられ、該上下動機構は、前記マグネット保持部材を上下動可能に保持するとともに、水平移動を行う水平移動部材と、該水平移動部材に連結され、前記水平移動部材を水平方向へ移動させるためのボルトである移動部材と、を備え、前記水平移動部材にはボルト受ナットが固定され、前記移動部材は、ボルト脚部側が前記ボルト受ナットに取付けられた状態で、水平移動方向に沿って取付けられており、ボルト脚部側が前記ボルト受ナットに取付けられるとともに頭部側がドアの外部へ突出した状態で、水平移動方向に沿って取付けられており、前記マグネット保持部材には、前記水平移動部材の水平移動方向と略鉛直な方向にシャフトが配設されており、前記水平移動部材には、水平面に対して鋭角に形成されたスリットが形成されるとともに、水平移動方向に沿ってシャフト移動孔がルーズホールとして形成されており、前記スリットには、前記シャフトが前記スリットに沿って摺動可能に支持されるとともに、前記シャフト移動孔には、端部が前記被覆体に固定されたスプリングピンであるスライダシャフトが貫通しており、該スライダシャフトは、力が付加されない状態では前記シャフト移動孔に嵌合するとともに、前記移動部材が回動することに起因して力が付加されると、前記シャフト移動孔に沿って移動可能となり、前記移動部材が回動することに起因して、前記水平移動部材が水平移動することにより、前記シャフトが前記スリットに沿って摺動すると同時に、前記マグネット保持部材は前記シャフトの前記スリットに沿った摺動に伴って上下動を行うよう構成されており、前記被係止部材は、ドアが移動することにより、前記マグネットの磁界範囲に配設されると、前記マグネットの磁力に誘引されて前記マグネットの方向へ回動し、前記係止部材に係止されることにより解決される。
また、このとき、前記係止部材には、下方向端部側に鉤状に形成された係止爪と、該係止爪が形成される側と反対側端部にバネ固定部とが形成されるとともに、前記係止爪と前記バネ固定部との間には、軸貫通孔が前記被係止部材の進入方向と直交する方向に貫通しており、前記軸貫通孔にはスプリングピンとして構成された軸が挿入されており、前記係止部材は、前記軸が挿入された前記軸貫通孔を中心として前記被係止部材の進入方向と水平方向に回動するよう構成されており、前記バネ固定部には、一端部側が前記マグネット保持部に固定されたバネの他端部側が固定されており、前記バネは、前記支持部材の回動方向に沿って押圧力を付与するよう構成されていると好適である。
【００１０】
このように、本発明に係るドアストッパは、ドア埋設部材と床取付部材を備えて構成され、このドア埋設部材は、ドアの下端部へ埋設される。
よって、このドア埋設部材は、ドア表面に突出せず、生活空間からほとんど視認できない。
このため、ドアのデザイン、内装等の美観を損ねることがなく、意匠的に有利である。
また、床取付部材に備えられる被係止部材は、ドア埋設部材に備えられるマグネットに誘引されて係止部材に係止される。
よって、ドアを床取付部材が配設される位置へ近接させると、自動的に被係止部材が係止部材に係止され、ドアがその位置に保持される。このため、人手を煩わせることなく簡易にドアを保持することができる。
【００１１】
このとき、前記床取付部材には、前記被係止部材を回動可能に支持する支持部材が備えられ、前記被係止部材は、板状部材であり、前記支持部材は、前記板状部材を格納するための格納孔が形成された板状部材であると好適である。
マグネット等、ある程度の体積を有する部品は、ドア側に埋設されているため、床側には被係止部材と被係止部材を支持する支持部材があればよく、床取付部材の高さは低く抑えられる。
また、支持部材は板状部材であり、支持部材に形成された格納孔に格納されるため、床取付部材の高さは、支持部材の厚さと被係止部材の厚さの和よりも低く抑えられる。つまり、被係止部材が格納孔に格納される部分の厚さ分低く抑えることができる。
このように、床取付部材の高さを低く抑えることができるので、床取付部材を床に取付けても、床と床取付部材との段差がほとんどなく、ほぼフラットな状態となる。
よって、床取付部材が掃除の邪魔になったり、人の歩行の邪魔になったりすることがなくなる。
また、床取付部材は床面とほとんどフラットな状態で取付けることができるため、収納等の開き扉がある場所であっても、この開き扉の運動を阻害することがないので、このような場所にも設置することができる。よって、設置場所が限定されない。
【００１２】
更に、このとき、前記係止部材に係止された前記被係止部材は、前記係止部材に前記被係止部材を係止させるためにドアが移動してきた方向と反対方向へドアを移動させるための力により係止解除されると、係止解除のために人が解除操作を行なう必要がないため好適である。
【００１３】
また、このとき、前記床取付部材には、前記被係止部材を上下方向へ回動可能に支持する板状の支持部材が備えられ、前記被係止部材は、板状部材であり、前記支持部材には、前記板状部材を格納するための格納孔が形成されており、前記係止部材による係止が解除されたドアストッパは、重力によって前記格納孔内に格納されると好適である。
このように構成されていると、係止が解除された後、被係止部材は支持部材に格納された状態に自動復帰して、床取付部材は床面とフラットな状態となる。
よって、人が被係止部材をもとの状態に納める操作を行なう必要がなくなる。
【００１４】
更に、このとき、前記ドア埋設部材には、前記マグネット及び前記係止部材を保持するマグネット保持部材が備えられ、該マグネット保持部材を上下動させることにより、前記マグネットの床面からの距離を調整可能であると、床とドア下面との距離が異なっていてもマグネット保持部材の高さを調整することによって、被係止部材がマグネットの磁界範囲内に配設できるようにすることができる。
【００１５】
また、このとき、前記ドア埋設部材には、前記マグネット及び前記係止部材を保持するマグネット保持部材と、マグネット保持部材を上下動させるための上下動機構が備えられ、
該上下動機構は、マグネット保持部材を上下動可能に保持するとともに、水平移動を行う水平移動部材と、該水平移動部材に連結され、前記水平移動部材を水平方向へ移動させるための移動部材と、を備え、前記マグネット保持部材には、前記水平移動部材の水平移動方向と略鉛直な方向にシャフトが配設されており、前記水平移動部材には、水平面に対して鋭角に形成されたスリットが形成されており、該スリットには、前記シャフトが前記スリットに沿って摺動可能に支持されており、前記水平移動部材が、前記移動部材の水平移動にともなって水平移動することにより、前記シャフトが前記スリットに沿って摺動し、前記マグネット保持部材が前記シャフトの前記スリットに沿った摺動に伴って上下動を行うよう構成されていると好適である。
このように構成されていると、水平移動部材を介してマグネット保持部材を上下動させることができる。
【００１６】
つまり、水平移動部材は水平移動を行うように構成され、マグネット保持部材は上下動を行うように構成されており、マグネット保持部材には水平移動部材の水平移動方向と略鉛直な方向にシャフトが配設されるとともに、水平面に対して鋭角に形成されたスリットが形成されている。マグネット保持部材のシャフトは、水平移動部材のスリットに摺動可能に配設されているため、水平移動部材を水平方向へ移動させると、シャフトはスリットに沿って摺動することとなる。シャフトはマグネット保持部材に配設されているため、このシャフトの摺動に付随してマグネット保持部材は上下動を行う。
このように、簡易な構造でマグネット保持部材を上下動させることができるため、床とドア下面との距離を簡易に調整することができる。
【００１７】
更に、このとき、前記移動部材は、一端部が前記水平移動部材に連結されるとともに、他端側は、ドアの外部へ突出しており、前記他端側に力を加えることにより前記水平移動部材を水平移動させることができると、ドア埋設部材をドアに埋設した後に、いつでもドア外部からマグネット保持部材の位置を容易に調整することができるため好適である。
【発明の効果】
【００１８】
本発明にかかるドアストッパは、マグネットと係止部材を備えたドア埋設部材と、被係止部材を備えた床取付部材とで構成されており、被係止部材をマグネットで誘引して係止部材で係止することにより簡易にドアを保持することができる。
よって、ドアを保持するための操作が必要なくなる。
また、ドア埋設部材はドアに埋設されているため、生活空間に露出することがなく、意匠的に有利であるとともに、ドアボトム等のドア下部に取付ける部材を併用することができる。
【００１９】
更に、床取付部材は、板状の被係止部材と、その被係止部材を保持するための支持部材で形成され、特別な機構は内蔵されていないので、床に配設孔等を穿孔する工事の必要がなく簡易に取付けることができるとともに、高さが抑えられるため床面とほぼフラットな状態で取付けることができる。
よって、床取付部材が掃除の邪魔になったり、人の歩行の邪魔になったりすることがなくなる。また、床取付部材は床面とほとんどフラットな状態で取付けることができるため、収納等の開き扉がある場所であっても、この開き扉の運動を阻害することがないので、このような場所にも設置することができる。よって、設置場所が限定されない。
更に、床面から突出していないため、意匠上も有利である。
【００２０】
また、マグネットの位置を上下方向に調整することができるため、床とドア下面との距離が多少異なっていても、マグネット位置を調整することにより対応することができる。
更に、このマグネット位置の調整は、ドア外部から容易に行うことができるため、ドア埋設部材をドアに埋設した後であっても、いつでも調整を行うことが可能である。
【発明を実施するための最良の形態】
【００２１】
以下、本発明の一実施例を図面に基づいて説明する。
なお、以下に説明する構成は本発明を限定するものでなく、本発明の趣旨の範囲内で種々改変することができるものである。
本実施形態は、人手を煩わすことなく、簡易にドアを保持できるとともに、意匠性に優れ、床に取付けられる部材をフラットな状態で取付けることが可能なドアストッパに関するものである。
【００２２】
図１乃至図１６は、本発明に係る実施形態を示すものであり、図１はドアストッパの使用状態説明図、図２はドア埋設部材を構成するケースの分解図、図３はドア埋設部材の分解図、図４は図３のＡ−Ａ線断面図、図５はラッチ部材と蓋との取付状態を示す説明図、図６はドア埋設部材を示す斜視図、図７は図６のＢ−Ｂ線断面相当図、図８は床取付部材の分解図、図９は床取付部材を構成する本体の分解図、図１０は被係止部材の動作を示す説明図、図１１は被係止部材がラッチ部材に係止された状態を示す説明図、図１２はマグネット本体の上下移動状態を示す説明図、図１３乃至図１６はドアストッパを取付ける工程を示す説明図である。
【００２３】
まず、図１により本実施形態に係るドアストッパＳについて説明する。
本実施形態に係るドアストッパＳとは、ドアＲを開放した際に、ドアＲを所定位置に保持しておくための部品であり、床の所定位置に埋設された磁性体の部材を、ドアに埋設された磁石で吸着することにより係止位置に誘導してドアＲを保持する。
本実施形態に係るドアストッパＳは、ドア埋設部材１と、床取付部材２とで構成されている。
【００２４】
本実施形態に係るドア埋設部材１は、被覆体としてのケース１１、水平移動部材としてのスライダ１２、マグネット保持部材としてのマグネット本体１３を主要構成とする。
本実施形態に係るケース１１は、図２に示すように、表板１１Ａ、裏板１１Ｂ、カバー１１Ｃを有して構成されている。
表板１１Ａは、上部が略半円形状に形成された板体であり、ビス孔１１ａ及び調整ボルト孔１１ｂが、上下方向に並列して形成されている。なお、上部側にビス孔１１ａが、下部側に調整ボルト孔１１ｂが形成されている。
【００２５】
ビス孔１１ａは、ケース１１をドアＲに取付けるためのビスを挿入するための孔であり、調整ボルト孔１１ｂは、後述するスライダ１２を水平移動させるための調整ボルト２０を螺入するための孔である。
また、表板１１Ａの内側方向（図２のＹ方向側）に配設される面には、調整ボルト取付部材１１ｃが配設されている。調整ボルト取付部材１１ｃは、断面略Ｌ字形状の部材であり、表板１１Ａのほぼ中央部に、断面が逆略Ｌ字となるように配設されている。つまり、表板１１Ａの内側方向（図２のＹ方向側）に略水平（表板１１Ａに対しては略垂直）に伸びた壁の自由端側が、略垂直下方に折れ曲がった形状をしている。
【００２６】
更に、調整ボルト取付部材１１ｃの内隅部には、上部方向へ向けてワッシャスリット１１ｋが形成されている。このワッシャスリット１１ｋは、ワッシャ２０ｂを配設するためのスリットである。
また、調整ボルト取付部材１１ｃの、調整ボルト孔１１ｂと整合する位置には、ボルト孔１１ｄが形成されている。
調整ボルト２０は、調整ボルト孔１１ｂ及びボルト孔１１ｄを貫通して、スライダ１２に取付けられる。
なお、表板１１Ａの内側方向（図２のＹ方向側）に配設される面には、後述するマグネット本体１３を上下方向へ摺動させるための図示しないレールを形成してもよい。
【００２７】
裏板１１Ｂは、上部が略半円形状に形成された板体であり、表板１１Ａよりも高さ（上下方向の長さ）が若干短く形成されている。
また、裏板１１Ｂの内側方向（図２のＹと反対方向側）に配設される面には、ビス固定部材１１ｅが形成されている。
ビス固定部材１１ｅは、略角柱状の部材であり、内部にはビス貫通孔１１ｆが上下方向（図２のＺ方向及びその反対方向）に形成されている。
なお、裏板１１Ｂの内側方向（図２のＹと反対方向側）に配設される面には、後述するマグネット本体１３を上下方向へ摺動させるための図示しないレールを形成してもよい。
【００２８】
カバー１１Ｃは、断面略コ字状の筺体であり、相対向する２個の略同形状の側壁１１ｇ，１１ｇと、これらを架橋するように形成されている上壁１１ｈとで構成されている。
側壁１１ｇ，１１ｇには、軸移動孔１１ｉ，１１ｉが形成されている。軸移動孔１１ｉ，１１ｉは、側壁１１ｇ,１１ｇの下端側略中央部から上部方向（図２のＺ方向側）へ向けてスリット状に形成されている。
【００２９】
上壁１１ｈは、ドーム状に湾曲した形状に形成されている。
また、上壁１１ｈの裏板１１Ｂが配設される側の端部には、ビス孔１１ｊが形成されている。
このビス孔１１ｊは、裏板１１Ｂが配設されたときに、ビス貫通孔１１ｆと整合する位置に形成される。
ビス孔１１ｊは、ケース１１をドアＲに取付けるためのビスを挿入するための孔である。
ビスは、カバー１１Ｃの内側からビス貫通孔１１ｆ及びビス孔１１ｊを貫通して、ドアＲに螺入される。
【００３０】
カバー１１Ｃは、側壁１１ｇ，１１ｇの自由端側を下部方向（図２のＺ方向と反対方向）へ向け、上壁１１ｈが上部方向（図２のＺ方向）に配置されるように配設される。
また、表板１１Ａと裏板１１Ｂは、カバー１１Ｃの幅方向両脇の開口を各々被覆するように、対向して配置される。このとき、ビス孔１１ｊが形成されている側の開口には、裏板１１Ｂが配設される。
また、このとき、表板１１Ａに形成されたビス孔１１ａが、上壁１１ｈよりも上部に位置するように、表板１１Ａが配設される。
以上、説明したように、カバー１１Ｃが構成され、図３に示す外観を呈する。
【００３１】
本実施形態に係るスライダ１２は、後述するマグネット本体１３を上下方向へ移動させるための部材であり、スライダ１２自身は、水平方向へ移動可能に構成されている。
図３に示すように、本実施形態に係るスライダ１２は、スライダ側壁１２Ａ，１２Ａ、調整ボルト貫通壁１２Ｂとで構成されている。
【００３２】
スライダ側壁１２Ａ，１２Ａは、略矩形の板体であり、一角部から、斜め方向へ向けてスライダスリット１２ａ，１２ａが切り欠かれている。
また、スライダ側壁１２Ａ，１２Ａの、スライダスリット１２ａ，１２ａが切り欠かれた側の辺と対向する側の辺側には、シャフト移動孔１２ｂ，１２ｂが形成されている。
シャフト移動孔１２ｂ，１２ｂは、スライダ側壁１２Ａ，１２Ａの幅方向に長く形成されたルーズホールである。
【００３３】
調整ボルト貫通壁１２Ｂは、略矩形状の板体であり、略中央部に調整ボルト貫通孔１２ｃが形成されている。
また、調整ボルト貫通壁１２Ｂの内側面（スライダ側壁１２Ａ，１２Ａが配設されている側の面）の調整ボルト貫通孔１２ｃに整合する位置には、調整ボルト受ナット１２ｄが固定されている。
【００３４】
スライダシャフト１２ｅは、公知のスプリングピンであり、シャフト移動孔１２ｂ，１２ｂを貫通するように配設される。
スライダ側壁１２Ａ，１２Ａは、スライダスリット１２ａ，１２ａが切り欠かれた側の辺を下部方向へ向けて相対向するように配設され、スライダスリット１２ａ，１２ａが切り欠かれた側の上端側には、調整ボルト貫通壁１２Ｂがスライダ側壁１２Ａ，１２Ａを架橋するように配設されている。
このスライダスリット１２ａ，１２ａがスリットに相当する。
スライダシャフト１２ｅは、シャフト移動孔１２ｂ，１２ｂを貫通するように配設される。このスライダシャフト１２ｅの両端は、カバー１１Ｃの側壁１１ｇ，１１ｇにそれぞれ、固定される。
【００３５】
スライダシャフト１２ｅは、力がかかっていない状態では、シャフト移動孔１２ｂ，１２ｂに嵌合しているが、力がかかるとスプリングピンに形成されたスリットの幅が狭まるのでスプリングピンの径が小さくなる。そのため、力が加えられた場合には、スライダシャフト１２ｅは、スライダ１２に対してシャフト移動孔１２ｂ，１２ｂに沿って（水平方向に）相対移動可能となる。
しかし、スライダシャフト１２ｅは、カバー１１Ｃに固定されているため移動することができず、このため、水平方向に力が加えられた場合には、スライダ１２自体が、力が加えられた方向へとシャフト移動孔１２ｂ，１２ｂに沿って水平移動する。
このスライダシャフト１２ｅとしては、公知のスプリングピンが使用されており、本実施形態においては、波型スプリングピンを使用している。しかし、これに限られることはなく、例えば、一般的な略直線状のスリットが形成されたスプリングピンであってもよい。
【００３６】
本実施形態に係るマグネット本体１３は、略角柱状の本体ケース１３Ａに、後述するマグネット、係止具等が内蔵された部材であり、本体ケース１３Ａの上面には、かまぼこ形状のシャフト貫通部１３ａが形成されている。
シャフト貫通部１３ａは、本体ケース１３Ａの上面の略中央部に、短辺と略平行となるように配設されており、内部には、マグネット本体シャフト１３ｂが貫通している。マグネット本体シャフト１３ｂの両端部は、シャフト貫通部１３ａの両端側から各々突出している。以下、マグネット本体シャフト１３ｂのこの突出部をシャフト突出部１３ｃ，１３ｃと記す。
このマグネット本体シャフト１３ｂが、シャフトに相当する。
また、マグネット本体１３の底面部には、後述する床取付部材２の被係止部材２２Ｂが挿入される略矩形の開口部１３ｄが形成されている。
【００３７】
図４は、図３のＡ−Ａ線断面図であり、マグネット本体１３の内部構造を示すものである。
図４に示すように、マグネット本体１３内部には、各部材を配設するための空間１３Ｂが所定形状に形成されており、この空間１３Ｂには、マグネット１３ｅ、係止部材としてのラッチ部材１３ｆ、バネ１３ｊ、蓋１３ｋが内蔵されている。
開口部１３ｄの上方は、後述する床取付部材２の被係止部材２２Ｂを係止するための係止空間１３ｌが形成されている。
【００３８】
この係止空間１３ｌの上面は、水平面に対して略鋭角をなす斜面状に形成されており、この斜面上方には、マグネット配設孔１３ｍが形成されている。
このマグネット配設孔１３ｍには、略円柱形状のマグネット１３ｅが固定されている。
また、マグネット１３ｅを配設した後、略円形状板体のマグネット蓋１３ｒでマグネット配設孔１３ｍは塞がれる。
なお、マグネット１３ｅとしては、公知のマグネットが使用されるが、本実施形態においては、ネオジウムマグネットが使用されている。
【００３９】
マグネット配設孔１３ｍは、係止空間１３ｌの上面と同様に、水平面に対して略鋭角（係止空間１３ｌの上面と水平面がなす角度とほぼ同じ角度）をなして形成されており、このため、マグネット１３ｅもまた、水平面と略鋭角の角度をなして固定されることとなる。
マグネット配設孔１３ｍ上方には、バネ配設孔１３ｎが形成されており、このバネ配設孔１３ｎには、バネ１３ｊが配設されている。
【００４０】
このバネ配設孔１３ｎは、係止空間１３ｌの上面及びマグネット配設孔１３ｍと同様に、水平面に対して略鋭角（係止空間１３ｌの上面と水平面とがなす角度及びマグネット配設孔１３ｍと水平面とがなす角度とほぼ同じ角度）をなして形成されており、このため、バネ１３ｊもまた、水平面と略鋭角の角度をなして固定されることとなる。
このバネ１３ｊは、後述するラッチ部材１３ｆを、空間１３Ｂの内壁面へ押圧する。
【００４１】
また、空間１３Ｂの、マグネット１３ｅが配設されている側と反対側の内壁面側には、ラッチ部材１３ｆが配設されている。
ラッチ部材１３ｆは、断面略Ｊ字形状の部材であり、端部には、鉤状の係止爪１３ｉが形成されている。
ラッチ部材１３ｆは、係止爪１３ｉが形成された側を下部方向へ向けて、この係止爪１３ｉが係止空間１３ｌに配置されるように配設される。なお、係止爪１３ｉは、自由端側が開口部１３ｄ側へ向くように配設される。
【００４２】
係止爪１３ｉの他端側（係止爪１３ｉが形成されていない側の端部、以下「バネ固定部１３ｈ」と記す）は、バネ配設孔１３ｎの開口側と対向する位置に配設され、バネ１３ｊが固定されている。このバネ固定部１３ｈは、バネ１３ｊよりＴ方向の押圧力を受けることにより、空間１３Ｂの内壁面へ押圧されている。
【００４３】
また、バネ固定部１３ｈの略中央部（マグネット１３ｅが配設されている側の略中央部）には、厚み方向に軸貫通孔１３ｏが形成されており、この軸貫通孔１３ｏには、スプリングピン１３ｇが貫通している。スプリングピン１３ｇの両端部は、軸貫通孔１３ｏの両端部より若干突出しており、この突出部分が後述する蓋１３ｋに取付けられている。
このように形成されているので、係止爪１３ｉにＴ方向の力がかかり、軸に同方向の力が加わると、この力によりスプリングピン１３ｇは、収縮して径が若干小さくなる。このため、スプリングピン１３ｇを中心としてラッチ部材１３ｆは、Ｔ方向に僅かに回動することとなる。また、このＴ方向へ加えられる力がなくなると、スプリングピン１３ｇはもとの形状に復帰すると同時に、バネ１３ｊの付勢力によりラッチ部材１３ｆはもとの位置へと復帰する。
【００４４】
なお、軸貫通孔１３ｏが形成されている側と反対方向側の面に、略円柱状の溝１３ｓを形成し、この溝１３ｓに図示しない他のスプリングピンを配設するように構成されていてもよい。
この場合、他のスプリングピンは、溝１３ｓ内に配設されるとともに、外壁面の一部が空間１３Ｂの内壁面と接するように配設される。
このように配設されることによって、他のスプリングピンの弾性作用を利用することができる。つまり、Ｔ方向に加えられる力により他のスプリングピンの径が小さくなる分、ラッチ部材１３ｆが移動し、Ｔ方向に加えられる力がなくなると、他のスプリングピンがもとの形状に復帰するため、ラッチ部材１３ｆももとの位置へ復帰する。
【００４５】
蓋１３ｋは、図５に示すように、略矩形状の板体を方形に切り欠いた形状を有する略凹部形状の板体である。以下、この切り欠き部分を「ラッチ部材配設空間１３ｐ」と記し、このラッチ部材配設空間１３ｐを構成する相対向する側壁をラッチ部材配設空間側壁１３ｑ，１３ｑと記す。
【００４６】
ラッチ部材１３ｆは、図５に示すように、ラッチ部材配設空間１３ｐに配設される。
このとき、スプリングピン１３ｇの両端部が、ラッチ部材配設空間側壁１３ｑ，１３ｑに各々取付けられる。
このように、ラッチ部材１３ｆが取付けられた蓋１３ｋは、空間１３Ｂに配設されて、係止空間１３ｌの上部を塞ぐ（図４参照）。
【００４７】
以上、説明したケース１１、スライダ１２、マグネット本体１３を組立て、ドア埋設部材１を形成する。
図３に示すように、マグネット本体１３には、スライダ１２が取付けられる。
スライダ１２は、マグネット本体１３を上部から覆うように配設され、この際、シャフト突出部１３ｃ，１３ｃは、スライダスリット１２ａ，１２ａにそれぞれ、摺動可能に嵌め込まれる。
【００４８】
このように、マグネット本体１３にスライダ１２を取付けた状態で、このマグネット本体１３及びスライダ１２をカバー１１Ｃ内部に配設する。
このとき、シャフト突出部１３ｃ，１３ｃは、カバー１１Ｃの軸移動孔１１ｉ，１１ｉに上下動可能に取付けられる。
また、スライダシャフト１２ｅの両端部は、カバー１１Ｃの側壁１１ｇ，１１ｇの内部側に固定される。
更に、移動部材としての調整ボルト２０を、調整ボルト孔１１ｂ、ボルト孔１１ｄを貫通させて、スライダ１２に形成された調整ボルト貫通孔１２ｃ及び調整ボルト受ナット１２ｄに取付ける。
この調整ボルト２０の動作、作用については後述する。
【００４９】
このように、ケース１、スライダ１２、マグネット本体１３を組立てて形成した、ドア埋設部材１を図６に示す。
ドア埋設部材１は、ドアＲの下面側端部（開放側端部）から上部方向に形成される図示しないドア埋設部材埋設孔に埋設される。このときドア埋設部材１は、ケース１１を構成する表板１１Ａの表面（カバー１１Ｃが配設されていない側の面）が、露出するように取付けられる。
【００５０】
また、図７に、図６のＢ−Ｂ線断面相当図を示す。
なお、図７は、スライダ１２及びマグネット本体１３のケース１１内での配設位置、及びケース１１のドアＲ内部への取付け状態を説明するためのものであるため、マグネット本体１３の内部構造に関しては図示を省略している。
このように、スライダ１２が水平移動可能に取付けられるとともに、にマグネット本体１３が上下動可能に取付けられる。
また、ケース１１は、ビス４０及び５０により、ドアＲ内部に取付けられる。
【００５１】
次いで、床取付部材２について説明する。
本実施形態に係る床取付部材２は、図８に示すように、被覆部材２１，本体２２を主要構成とする。
被覆部材２１は、略円盤形状の蓋状部材であり、後述する本体２２を上部より被覆する。
被覆部材２１の略中央部には、略Ｔ字形状の部材露出孔２１ａが形成されている。
部材露出孔２１ａは、後述する被係止部材２２Ｂ及び被係止部材固定部２２Ｃを露出させるための孔であり、被係止部材２２Ｂ及び被係止部材固定部２２Ｃがプレート２２Ａに配設される位置と整合する位置に形成されている。
【００５２】
本実施形態に係る本体２２は、支持部材としてのプレート２２Ａ、被係止部材としての被係止部材２２Ｂ、被係止部材固定部２２Ｃを主要構成とする。
図９に示すように、プレート２２Ａは、略矩形状の板体であり、一の長辺の両端が略方形に切り欠かれ、被係止部材固定部配設部２２ａが形成されている。
【００５３】
また、プレート２２Ａの略中央部には、略長方形状の被係止部材配設孔２２ｂが形成されている。
この被係止部材配設孔２２ｂが、格納孔に相当する。
被係止部材配設孔２２ｂは、後述する被係止部材２２Ｂの形状とほぼ同形状であり、その面積は被係止部材２２Ｂの面積よりも僅かに大きく形成されている。
被係止部材配設孔２２ｂの両側には、ルーズホール２２ｃ，２２ｃ及びビス孔２２ｄ，２２ｄが、被係止部材配設孔２２ｂに対して略対称に穿孔されている。なお、ビス孔２２ｄ，２２ｄは、被係止部材固定部配設部２２ａ側に穿孔されている。
【００５４】
被係止部材２２Ｂは、長手方向の両端部が、同じ方向に屈曲した略矩形の板体である。
一方の屈曲部には、シャフト貫通孔２２ｅが形成されており、このシャフト貫通孔２２ｅには、シャフト２２ｆが貫通している。このシャフト２２ｆの両端は、シャフト貫通孔２２ｅより外側へ僅かに突出している。
被係止部材２２Ｂは、磁性体金属により形成される。
なお、シャフト貫通孔２２ｅが形成されていない側の端部を、「被係止部２２ｇ」と記す。
【００５５】
被係止部材固定部２２Ｃは、断面略Ｌ字形状の部材であり、被係止部材固定部２２ｈと、この被係止部材固定部２２ｈの一長辺側から略垂直に起立したプレート固定部２２ｉとで構成されている。
被係止部材固定部２２ｈの一長辺側（プレート固定部２２ｉが形成されていない側の長辺）は略方形に切り欠かれている。この切り欠き部を「被係止部材配設部２２ｊ」と記す。
この被係止部材配設部２２ｊを構成する３面のうち、相対向する側壁２２ｋ，２２ｋには、被係止部材２２Ｂに配設されたシャフト２２ｆを回動可能に取付けるためのシャフト取付孔２２ｌ，２２ｌが形成されている。
【００５６】
本体２２は、このように形成されたプレート２２Ａ、被係止部材２２Ｂ、被係止部材固定部２２Ｃを組立てることにより形成される。
被係止部材２２Ｂは、シャフト２２ｆの両端を、被係止部材固定部２２Ｃに形成されたシャフト取付孔２２ｌ，２２ｌに回動可能に取付けることにより、被係止部材固定部２２Ｃに配設される。
被係止部材２２Ｂが配設された被係止部材固定部２２Ｃは、プレート２２Ａの被係止部材固定部配設部２２ａに取付けられる。
【００５７】
つまり、被係止部材固定部２２Ｃに形成されたプレート固定部２２ｉを、被係止部材固定部配設部２２ａの自由端側に取付けることにより、被係止部材固定部２２Ｃがプレート２２Ａに取付けられる。このとき、被係止部材２２Ｂは、被係止部材配設孔２２ｂに整合する位置へ配設される。
このように形成された被係止部材固定部２２Ｃは、ボルトによって、床面の所定位置に取付けられた後、被覆部材２１により上面側が被覆される。
また、図１０（ｂ）に示すように、被係止部材２２Ｂは、シャフト２２ｆを中心に矢印方向に回動するように構成されている。
【００５８】
なお、上記のように、本実施形態に係る床取付部材２は、被係止部材２２Ｂを支持及び格納するための部品であるため、高さは、被係止部材２２Ｂの厚さと被覆部材２１の厚さの和にほぼ等しくなる。被係止部材２２Ｂの厚さ及び被覆部材２１の厚さは、僅かなものであるため、本実施形態に係る床取付部材２の高さは、約３ｍｍ程度である。
このため、床に取付ける部品の高さが約８．５ｍｍ程度あった従来品と比して、高さが半分以下となり、床面とほぼフラットになる。
よって、人が躓く等の慮がなくなるとともに、掃除等の邪魔にもならない。また、収納扉の可動範囲内であっても使用することができる。
更に、床面より突出していないため、意匠上も有利である。
【００５９】
以上のように構成された、ドア埋設部材１と床取付部材２を使用して、ドアＲを所定位置に保持する方法について説明する。
ドア埋設部材１が取付けられたドアＲが、床取付部材２に近接し、床取付部材２の被係止部材２２Ｂが、マグネット１３ｅの磁界内に入ると、磁性体である被係止部材２２Ｂは、マグネット１３ｅの磁力によりに誘引される。
【００６０】
被係止部材２２Ｂは、シャフト２２ｆを回動中心として立上るよう構成されているので、マグネット１３ｅの磁力により立ち上がって係止空間１３ｌに誘導され、ラッチ部材１３ｆの係止爪１３ｉに係止される。
このように、被係止部材２２Ｂが係止爪１３ｉに係止された状態の説明図を図１１に示す。
図１１に示すように、マグネット１３ｅに誘引され係止空間１３ｌに導かれた被係止部材２２Ｂの被係止部２２ｇが、係止爪１３ｉに係止される。
【００６１】
つまり、開放方向へドアＲが移動することにより、マグネット１３ｅの磁界に入った係止部材２２Ｂは、マグネット１３ｅの磁力により誘引されて上部方向へ立上り、被係止部２２ｇが係止爪１３ｉの自由端側へ当接する。このとき、係止爪１３ｉには、Ｔ方向への力がかかる。
ラッチ部材１３ｆの説明において記載した通り、被係止部２２ｇによりＴ方向への力を受けた係止爪１３ｉは、同方向へ僅かに回動し、これにより、被係止部２２ｇは係止空間１３ｌに入り込む。また、被係止部２２ｇが係止空間１３ｌに入り込むと、Ｔ方向へ加わっていた力が解除されるため、ラッチ部材１３ｆはもとの位置に復帰し、係止爪１３ｉに被係止部２２ｇが確実に保持されることとなる。
また、ドアＲが、閉鎖方向（開放方向と反対方向）へ移動すると、この閉鎖方向へドアを移動させるために加わる力により係止状態が解除されるとともに、被係止部２２ｇがマグネット１３ｅの磁界範囲から外れるので被係止部２２ｇは、もとの位置（被係止部材配設孔２２ｂ内）に復帰する。
【００６２】
次いで、図１２により、マグネット本体１３の上下動機構について説明する。
移動部材としての調整ボルト２０は、公知のボルトである本体２０ａと、ワッシャ２０ｂとで構成されており、ワッシャ２０ｂは、本体２０ａの頭部裏面に固定されている。
調整ボルト２０は、調整ボルト孔１１ｂ、ワッシャ２０ｂ、調整ボルト貫通壁１２Ｂ、調整ボルト受ナット１２ｄを貫通している。また、ワッシャ２０ｂの一部分はワッシャスリット１１ｋに挿入されている。このため、ワッシャ２０ｂは調整ボルト２０の回動方向と同方向に回動するが、この回動面と略垂直な方向へ移動しない。なお、回動面と略垂直な方向へのワッシャ２０ｂの移動を確実に阻止するために、更に、移動阻止部材等を設けてもよいし、ワッシャスリット１１ｋの下部側に更にスリットを設けてもよい。
【００６３】
図１２（ａ）の状態では、マグネット本体１３は、最上部に位置している。
この状態で、調整ボルト２０をイの方向へ回動させると、ワッシャ２０ｂは本体２０ａに固定され、調整ボルト受ナット１２ｄは調整ボルト貫通壁１２Ｂに固定されているので、調整ボルト２０は、回動面と略垂直方向へ移動することができず、ワッシャ２０ｂと調整ボルト受ナット１２ｄとの距離ｘが広がることとなる。
上述したとおり、スライダ１２は水平方向へ移動可能に構成されているため、スライダ１２は、ロの方向へ移動する。
つまり、スライダシャフト１２ｅが水平方向への力を受けるため、スライダシャフト１２ｅの径が僅かに（スプリングピンのスリットの幅分）小さくなり、このため、スライダ１２がシャフト移動孔１２ｂ，１２ｂに沿って水平方向へ移動することができる。
【００６４】
このとき、マグネット本体１３は、上下動のみを行うように構成されているため、マグネット本体シャフト１３ｂは、シャフト移動孔１２ｂ，１２ｂに沿って下降する。
このように、調整ボルト２０をイの方向へ回動させると、ワッシャ２０ｂと調整ボルト受ナット１２ｄとの距離ｘが広がると同時にマグネット本体１３が下降する。
【００６５】
図１２（ｂ）に、下降した状態の図を示す。
この下降した状態で、調整ボルト２０をイの方向と反対方向へ回動させると、ワッシャ２０ｂと調整ボルト受ナット１２ｄとの距離ｘが狭まり、同時にマグネット本体１３が上昇する。
このように、本実施形態に係るマグネット本体１３は、上下方向へ移動可能である。
このため、ドアＲの下面と床との距離が多少異なっていても、マグネット本体１３の位置を調整することにより対応することが可能である。
【００６６】
通常、マグネット式のドアストッパでは、マグネットの磁界が一定であるという制限及びドアを保持するための部材のサイズが一定であるという制限のため、扉に取付けられる部材と床に取付けられる部材との距離が一定距離を越えた場合には機能を果たさない。このため、ドア下面と床面との距離によって、ドアを保持する部材のサイズやマグネットの種類（マグネットの磁力）の異なるドアストッパを用意する必要があった。
しかし、本実施形態に係るドアストッパＳでは、マグネット本体１３の位置を調整することが可能であるため、ドアＲの下面と床との距離が多少異なっていても対応することが可能である。
【００６７】
ついで、図１３乃至図１６により、本実施形態に係る床取付部材２の取付方法について説明する。
図１３に示すように、ドアＲを保持したい位置へドアＲを配設し、マグネット本体１３の下部へ、床取付部材２の本体２２を配置する。
目安の位置が決まれば、ルーズホール２２ｃ，２２ｃからビス６０，６０を挿入し、本体２２を床に仮固定する。
【００６８】
次いで、マグネット本体１３に記されたセンターポイントＰと、本体２２の中心線を合わせ、本体２２の配設位置が決定されたら、図１４に示すように、ビス孔２２ｄ，２２ｄからビス７０，７０を挿入して、本体２２を床に固定する。
次いで、マグネット本体１３の底面と本体２２との距離を調整する。
【００６９】
図１５に示すように、被係止部材２２Ｂがマグネット本体１３内部に誘導され、ラッチ部材１３ｆに係止される位置まで、マグネット本体１３を下降させる。
この操作は、ドライバ等の工具を使用して、調整ボルト孔１１ｂに配設された調整ボルト２０を左方向へ回動させることにより行う。
前述したとおり、調整ボルト２０を左方向へ回動させることにより、スライダ１２が水平方向へ移動し、このスライダ１２の移動に伴い、マグネット本体１３が下降する。
距離調整が終了すれば、図１６に示すように、被覆部材２１を上部より本体２２に被せる。
なお、この被覆部材２１として、床と同系色のもの若しくは床と同模様・同素材のものを使用すれば、床取付部材２が目立たないので、意匠的に有利である。
【００７０】
本実施形態においては、ドア埋設部材１は、ドアＲに埋設されるため、外部に突出することがなく、脚をぶつける等の慮がなくなるとともに、意匠的にも有利である。
また、ドア埋設部材１がドアＲの外部へ突出していないため、ドアボトムと併用することができる。
更に、床取付部材２は、被係止部材２２Ｂを支持するためだけのものであるため、床側にマグネット等が取付けられる従来品と比して、高さをかなり低くおさえることができる。
このため、床取付部材２を床に取付けても、ほぼフラットな状態となり、掃除等の邪魔となることがなく、意匠的にも有利である。
また、本実施形態では、ドア埋設部材１を構成するマグネット本体１３を上下動させることができる。
このため、ドアＲの下面と床との間の距離が異なる場合でも、マグネット本体１３の位置を調整することにより、本実施形態に係るドアストッパＳを使用することができる。
【図面の簡単な説明】
【００７１】
【図１】本発明の一実施形態に係るドアストッパの使用状態説明図である。
【図２】本発明の一実施形態に係るドア埋設部材を構成するケースの分解図である。
【図３】本発明の一実施形態に係るドア埋設部材の分解図である。
【図４】図３のＡ−Ａ線断面図である。
【図５】本発明の一実施形態に係るラッチ部材と蓋との取付状態を示す説明図である。
【図６】本発明の一実施形態に係るドア埋設部材を示す斜視図である。
【図７】図６のＢ−Ｂ線断面相当図である。
【図８】本発明の一実施形態に係る床取付部材の分解図である。
【図９】本発明の一実施形態に係る床取付部材を構成する本体の分解図である。
【図１０】本発明の一実施形態に係る被係止部材の動作を示す説明図である。
【図１１】本発明の一実施形態に係る被係止部材がラッチ部材に係止された状態を示す説明図である。
【図１２】本発明の一実施形態に係るマグネット本体の上下移動状態を示す説明図である。
【図１３】本発明の一実施形態に係るドアストッパを取付ける工程を示す説明図である。
【図１４】本発明の一実施形態に係るドアストッパを取付ける工程を示す説明図である。
【図１５】本発明の一実施形態に係るドアストッパを取付ける工程を示す説明図である。
【図１６】本発明の一実施形態に係るドアストッパを取付ける工程を示す説明図である。
【図１７】従来技術のドアストッパを示す説明図である。
【符号の説明】
【００７２】
１  ドア埋設部材
２  床取付部材
１１  被覆体（ケース）
１１Ａ  表板
１１Ｂ  裏板
１１Ｃ  カバー
１１ａ  ビス孔
１１ｂ  調整ボルト孔
１１ｃ  調整ボルト取付部材
１１ｄ  ボルト孔
１１ｅ  ビス固定部材
１１ｆ  ビス貫通孔
１１ｇ  側壁
１１ｈ  上壁
１１ｉ  軸移動孔
１１ｊ  ビス孔
１１ｋ  ワッシャスリット
１２  水平移動部材（スライダ）
１２Ａ  スライダ側壁
１２Ｂ  調整ボルト貫通壁
１２ａ  スリット（スライダスリット）
１２ｂ  シャフト移動孔
１２ｃ  調整ボルト貫通孔
１２ｄ  調整ボルト受ナット
１２ｅ  スライダシャフト
１３  マグネット保持部材（マグネット本体）
１３Ａ  本体ケース
１３Ｂ  空間
１３ａ  シャフト貫通部
１３ｂ  シャフト（マグネット本体シャフト）
１３ｃ  シャフト突出部
１３ｄ  開口部
１３ｅ  マグネット
１３ｆ  係止部材（ラッチ部材）
１３ｇ  スプリングピン
１３ｈ  バネ固定部
１３ｉ  係止爪
１３ｊ  バネ
１３ｋ  蓋
１３ｌ  係止空間
１３ｍ  マグネット配設孔
１３ｎ  バネ配設孔
１３ｏ  軸貫通孔
１３ｐ  ラッチ部材配設空間
１３ｑ  ラッチ部材配設空間側壁
１３ｒ  マグネット蓋
１３ｓ  溝
２０  移動部材（調整ボルト）
２０ａ  本体
２０ｂ  ワッシャ
２１  被覆部材
２１ａ  部材露出孔
２２  本体
２２Ａ  支持部材（プレート）
２２Ｂ  被係止部材
２２Ｃ  被係止部材固定部
２２ａ  被係止部材固定部配設部
２２ｂ  格納孔（被係止部材配設孔）
２２ｃ  ルーズホール
２２ｄ  ビス孔
２２ｅ  シャフト貫通孔
２２ｆ  シャフト
２２ｇ  被係止部
２２ｈ  被係止部材固定部
２２ｉ  プレート固定部
２２ｊ  被係止部材配設部
２２ｋ  側壁
２２ｌ  シャフト取付孔
４０  ビス
５０  ビス
６０  ビス
７０  ビス
ドア  Ｒ
ドアストッパ  Ｓ
【図１】
0004642581.tif 000002
【図２】
0004642581.tif 000003
【図３】
0004642581.tif 000004
【図４】
0004642581.tif 000005
【図５】
0004642581.tif 000006
【図６】
0004642581.tif 000007
【図７】
0004642581.tif 000008
【図８】
0004642581.tif 000009
【図９】
0004642581.tif 000010
【図１０】
0004642581.tif 000011
【図１１】
0004642581.tif 000012
【図１２】
0004642581.tif 000013
【図１３】
0004642581.tif 000014
【図１４】
0004642581.tif 000015
【図１５】
0004642581.tif 000016
【図１６】
0004642581.tif 000017
【図１７】
0004642581.tif 000018